(57)【要約】【課題】オフ時に最小負荷を確保するとともに、オン時の負荷抵抗での電力消費を抑制する。【解決手段】電気機器１０は、ＡＣ／ＤＣ変換器１２２と内部回路１１１との間に介設された、ロッカースイッチ１１２１と最小負荷電流消費用の負荷抵抗１１２２とを備える。ロッカースイッチ１１２１は、オン端子に内部回路１１１が接続され、オフ端子に内部回路１１１と並列接続されるように負荷抵抗１１２２が接続される。【選択図】図１
2015095951.tif 000002
【特許請求の範囲】
【請求項１】
筐体内部に内部回路を備え、ＡＣ／ＤＣ変換器を有するＡＣアダプタから電源コードを介して電源供給を受ける電気機器において、
前記ＡＣ／ＤＣ変換器と前記内部回路との間に介設された、ロッカースイッチと最小負荷電流消費用の負荷抵抗とを備え、前記ロッカースイッチは、オン端子に前記内部回路が接続され、オフ端子に前記内部回路と並列接続されるように前記負荷抵抗が接続された電気機器。
【請求項２】
前記ロッカースイッチ及び前記負荷抵抗は、前記ＡＣ／ＤＣ変換器と前記筐体との間に配設されていることを特徴とする請求項１に記載の電気機器。
【請求項３】
ＡＣ／Ｄ変換器を内蔵し、電源コードを介して電気機器に接続されるＡＣアダプタにおいて、
前記電源コード上にロッカースイッチと最小負荷電流消費用の負荷抵抗とが配設され、前記ロッカースイッチは、オン端子に前記電源コードを介して前記内部回路が接続され、オフ端子に前記内部回路と並列接続されるように前記負荷抵抗が接続されたＡＣアダプタ。
【発明の詳細な説明】
【技術分野】
【０００１】
本発明は、画像表示装置、画像形成装置等の、ＡＣアダプタからＤＣ電源供給を受けて所期動作を行う内部回路を備えた各種の電気機器、及びＡＣアダプタに関する。
【背景技術】
【０００２】
ＡＣアダプタは、内部にＡＣ／ＤＣ変換器を備え、電気機器の負荷の状態に応じた電流を供給して所期動作を行わせる。一方、ＡＣ／ＤＣアダプタは、負荷側が無負荷乃至は軽負荷になった場合に、ＡＣ／ＤＣ変換器の動作の不安定さを解消するべく、回路内に最小限必要な負荷を確保するための負荷抵抗が介設されている。図４は、従来のＡＣアダプタ１を有する電気機器５の概略構成を示すもので、ＡＣアダプタ１は、先端側のプラグ２に接続されたＡＣ／ＤＣ変換器３、及び平滑用コンデンサと負荷抵抗ｒLとからなる回路４を有する。電気機器５は内部回路６及び電源スイッチ７を備えている。ＤＣ電源からの電力の一部は、スイッチ７のオン、オフの状態を問わず、常に負荷抵抗ｒLで消費されており、省電上好ましくない。
【０００３】
特許文献１には、機器の負荷と並列に接続された疑似抵抗と、疑似抵抗と直列接続された電磁スイッチと、負荷電流を検出し、基準電流値との比較によって電磁スイッチをオン／オフ制御する電流検出部とを有する技術が開示されている。また、特許文献２には、ダミー抵抗用スイッチをダミー抵抗と直列に設け、機器への負荷電流供給中（定常負荷）、スイッチによりダミー抵抗を電源から切り離すことで、ダミー抵抗での電力損失を削減する技術が開示されている。
【先行技術文献】
【特許文献】
【０００４】
【特許文献１】特開２０００―２６７７４４号公報
【特許文献２】特開２００１−２３６９１８号公報
【発明の概要】
【発明が解決しようとする課題】
【０００５】
しかしながら、特許文献１に記載の発明によれば、負荷状態を検出し、電磁スイッチによって疑似負荷をオン／オフする電流検出部が別途必要となる。また、電流検出器は、常に電流の監視を行うものであるためオン期間中も監視動作のための電力を消費する。さらに、特許文献２に記載の発明によれば、ダミー抵抗用スイッチのオンオフ制御を行うための制御装置を別途設ける必要があり、しかも動作中に監視のための電力やスイッチ切替電力を要する。
【０００６】
本発明は、上記に鑑みてなされたもので、オフ時に最小負荷を確保しながら、オン時の負荷抵抗での電力消費を抑制し得る電気機器及びＡＣアダプタを提供することにある。
【課題を解決するための手段】
【０００７】
本発明に係る電気機器は、筐体内部に内部回路を備え、ＡＣ／ＤＣ変換器を有するＡＣアダプタから電源コードを介して電源供給を受ける電気機器において、前記ＡＣ／ＤＣ変換器と前記内部回路との間に介設された、ロッカースイッチと最小負荷電流消費用の負荷抵抗とを備え、前記ロッカースイッチは、オン端子に前記内部回路が接続され、オフ端子に前記内部回路と並列接続されるように前記負荷抵抗が接続されたものである。
【０００８】
また、本発明に係るＡＣアダプタは、ＡＣ／ＤＣ変換器を内蔵し、電源コードを介して電気機器に接続されるＡＣアダプタにおいて、前記電源コード上にロッカースイッチと最小負荷電流消費用の負荷抵抗とが配設され、前記ロッカースイッチは、オン端子に前記電源コードを介して前記内部回路が接続され、オフ端子に前記内部回路と並列接続されるように前記負荷抵抗が接続されたものである。
【０００９】
かかる発明によれば、オフ時にＡＣ／ＤＣ変換器が負荷抵抗と接続されて最小負荷が確保されるとともに、オン時にＡＣ／ＤＣ変換器から負荷抵抗が切り離されて負荷抵抗での電力消費がゼロになる。
【００１０】
また請求項２記載の発明は、請求項１に記載の電気機器において、前記ロッカースイッチ及び前記負荷抵抗は、前記ＡＣ／ＤＣ変換器と前記筐体との間に配設されていることを特徴とする。この構成によれば、ロッカースイッチを操作容易な電源コード上の適宜な位置に設けることが可能となる。
【発明の効果】
【００１１】
本発明によれば、オフ時に最小負荷を確保できるとともに、オン時の負荷抵抗での電力消費を抑制できる。
【図面の簡単な説明】
【００１２】
【図１】本発明に係る電気機器の第１実施形態を示す構成図である。
【図２】本発明に係る電気機器の第２実施形態を示す構成図である。
【図３】本発明に係る電気機器の第３実施形態を示す構成図である。
【図４】従来のＡＣアダプタ及び電気機器の一例を示す構成図である。
【発明を実施するための形態】
【００１３】
図１に示す第１の実施形態において、電気機器１０は、機器本体１１０とＡＣアダプタ部１２０とを備える。機器本体１１０の筐体内部には内部回路１１１が設けられている。内部回路１１１は、電気機器１０に対して所期動作を実行させるための回路構成部である。電気機器１０として画像形成装置を想定した場合、内部回路１１１は、画像形成部や表示部を駆動、動作させるための電気回路部全般をいう。なお、図１において、内部回路１１１の駆動対象となる画像形成部等の機構部分については図略している。
【００１４】
ＡＣアダプタ部１２０は、ＡＣ電源との接続用としてのプラグ１２１と、プラグ１２１とＡＣコードで接続され、ＡＣ電源からＤＣ電源を生成するＡＣ／ＤＣ変換器１２２とを備え、ＤＣ電源コード１２３を介して機器本体１１０と接続されている。ＡＣ／ＤＣ変換器１２２は、例えば箱状の筐体内に設けられ、ＡＣ電力を所定レベルのＤＣ電力に変換する。ＤＣ電源コード１２３は、ＤＣ出力とグランド（ＧＮＤ）とを有する。なお、ＧＮＤは、内部回路１１１のコモン（グランド）側に接続されている。
【００１５】
電気機器１０は、内部回路１１１の他、スイッチ部１１２を備える。スイッチ部１１２は、マニュアル操作可能で、電源スイッチを兼ねるロッカースイッチ１１２１と、負荷抵抗１１２２とを備える。ロッカースイッチ１１２１は、シーソースイッチと称されるもので、基端１個と切替側の２個の端子（オン端子とオフ端子）とを備え、マニュアル操作によって可動切片を切り替えることで、基端とオン端子とを接続状態にしたり、また基端とオフ端子とを接続状態にさせる。ロッカースイッチ１１２１は、基端にＡＣ／ＤＣ変換器１２２の出力側が接続され、オン端子に内部回路１１１の負荷側が接続され、一方、オフ端子に負荷抵抗１１２２を介してＧＮＤが接続されている。従って、電源側から見て、負荷抵抗１１２２はロッカースイッチ１１２１を介して内部回路１１１と並列接続されている。負荷抵抗１１２２は、ＡＣ／ＤＣ変換器１２２からみて最小限必要な抵抗値を有し、内部回路１１１が極端に軽負荷となった場合に、ＡＣ／ＤＣ変換器１２２の不安定動作を防止する。負荷抵抗１１２２は、内部回路１１１での消費電力より低くなる抵抗値に設定されている。
【００１６】
上記構成において、ユーザ操作によってロッカースイッチ１１２１がオフ端子に接続、すなわち電気機器１０がオフにされた場合、負荷抵抗１１２２がＡＣ／ＤＣ変換器１２２に接続され、負荷抵抗１１２２で電力消費が行われて電源側の安定動作を確保している。
【００１７】
一方、ユーザ操作によってロッカースイッチ１１２１がオン端子に接続、すなわち電気機器１０がオンされた場合、負荷抵抗１１２２がＡＣ／ＤＣ変換器１２２から切り離され、ＡＣ／ＤＣ変換器１２２からの電力は内部回路１１１に供給され、電気機器１０が駆動される。従って、オフ時に最小負荷を確保しながら、オン時には負荷抵抗１１２２による消費電力をゼロにできる。
【００１８】
図２に示す第２の実施形態は、第１の実施形態に対して、第１の実施形態のスイッチ部１１２をＡＣアダプタ部２２０側のＡＣ／ＤＣ変換器１２２を内装する筐体内に配置した構成において第１の実施形態と相違し、その他の構成は同一である。
【００１９】
図３に示す第３の実施形態は、第１の実施形態に対して、第１の実施形態のスイッチ部１１２をＡＣ／ＤＣ変換器１２２と機器本体１１０との間のＤＣ電源コード１２３上に介設した構成において第１の実施形態と相違し、その他の構成は同一である。すなわち、図３においてスイッチ部２１２は、ＡＣ／ＤＣ変換器１２２を内装する筐体とは別体として、ＤＣ電源コード１２３の途中に、ロッカースイッチ１１２１及び負荷抵抗１１２２を設けたものである。
【００２０】
第２、第３の実施形態においては、ＤＣ電源コード１２３は、電気機器２０，３０の機器本体１１０に接続され、電気機器２０，３０の一部とされるものでもよいし、あるいは、例えばコネクタ構造を有して着脱自在に接続する別体としての構成でもよい。第２、第３の実施形態によれば、例えば、電気機器２０，３０を天井その他の、設置乃至は取付後はユーザの手が容易には届きにくいような箇所の場合に、手許側にＡＣアダプタ２２０やスイッチ部２１２を置くことで、操作容易にすることが可能となる。
【００２１】
なお、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００２２】
１０、２０，３０  電気機器
１１０  機器本体（筐体）
１１１  内部回路
１２０，２２０  ＡＣアダプタ部（ＡＣアダプタ）
１２２  ＡＣ／ＤＣ変換器
１２３  ＤＣ電源コード（電源コード）
１１２，２１２  スイッチ部
１１２１  ロッカースイッチ
１１２２  負荷抵抗
【図１】
2015095951.tif 000003
【図２】
2015095951.tif 000004
【図３】
2015095951.tif 000005
【図４】
2015095951.tif 000006